(57)【要約】【課題】複数の印字装置が有する設定データを少ない手間で更新可能な印字装置を提供する。【解決手段】外部機器から印字装置の更新情報を取得し（Ｓ１１）、取得した更新情報を他の印字装置に送信するモードであるマスターモードに設定する（Ｓ１３）。更新情報を受信するモードであるスレーブモードに切り替えられた他の印字装置に対して取得した更新情報をアドホックモードにより送信する（Ｓ２５）。他の印字装置は、受信したアップデート情報に従って設定データの更新を行う。このようにして、複数の印字装置の設定データを少ない手間で更新することができる。【選択図】図６
2012210779.tif 000002
【特許請求の範囲】
【請求項１】
印字装置で印字を行う場合に利用される内部データである設定データの更新情報を、接続された外部機器から取得する更新情報取得手段と、
当該印字装置のモードが前記更新情報を受信するスレーブモードに設定された他の印字装置に前記更新情報を送信するために、当該印字装置のモードを、前記更新情報を送信するマスターモードに設定可能なモード設定手段と、
前記モード設定手段により前記印字装置のモードが前記マスターモードに設定されると、前記他の印字装置に対し、前記更新情報取得手段により取得した前記更新情報を無線により送信する無線送信手段と
を備えたことを特徴とする印字装置。
【請求項２】
前記モード設定手段は、前記印字装置のモードを、前記マスターモード及び前記スレーブモードを含むモードの中から択一的に設定可能であり、
前記スレーブモードに設定された場合、前記マスターモードに設定された他の印字装置から前記更新情報を無線により受信する無線受信手段と、
前記無線受信手段から前記更新情報を受信すると、前記更新情報に基づき前記設定データを更新するデータ更新手段と
を備えたことを特徴とする請求項１に記載の印字装置。
【請求項３】
前記モード設定手段は、
前記印字装置のモードを前記マスターモードに設定する指示をユーザから受け付ける第一受付手段と、
前記印字装置のモードを前記スレーブモードに設定する指示を前記ユーザから受け付ける第二受付手段と
を備えたことを特徴とする請求項１または２に記載の印字装置。
【請求項４】
前記モード設定手段により前記印字装置のモードがスレーブモードに設定され前記更新情報が受信可能となった場合、この事を報知する受信可能報知手段を備えたことを特徴とする請求項２または３に記載の印字装置。
【請求項５】
前記無線送信手段が放射する電波の強度を所定値以下に制御する電波強度制御手段を備えたことを特徴とする請求項１から４のいずれかに記載の印字装置。
【発明の詳細な説明】
【技術分野】
【０００１】
本発明は、持ち運びが可能な印字装置に関し、詳細には、印字装置の設定データの更新に関する。
【背景技術】
【０００２】
モバイルプリンタ等の持ち運び可能な印字装置は、ファームウエア、フォント、テンプレート、及び設定パラメータ等の印字を行うための設定データを有している。これら設定データを更新するには、通常次の操作が必要となる。はじめに、ユーザの所有するパーソナルコンピュータ（以下、「ＰＣ」という。）からモバイルプリンタの販売会社のホームページにアクセスし、設定データの更新情報をダウンロードする。次に、例えば特許文献１に示すように、ＰＣとモバイルプリンタ間の無線通信により更新情報をモバイルプリンタに送信し、更新情報を受信したモバイルプリンタは設定データの更新を行う。
【先行技術文献】
【特許文献】
【０００３】
【特許文献１】特開２００６−１６３７９３号公報
【発明の概要】
【発明が解決しようとする課題】
【０００４】
しかしながら、オフィス等には、複数台のモバイルプリンタが存在する場合がある。このような場合、オフィス内の全てのモバイルプリンタの設定データの更新を行うには、モバイルプリンタ毎に対して上記操作を行う必要があり、この作業が、非常に煩雑であるという問題点がある。
【０００５】
本発明の目的は、複数の印字装置が有する設定データを少ない手間で更新可能な印字装置を提供することである。
【課題を解決するための手段】
【０００６】
上記課題を解決するために、本発明の態様の印字装置は、印字装置で印字を行う場合に利用される内部データである設定データの更新情報を、接続された外部機器から取得する更新情報取得手段と、当該印字装置のモードが前記更新情報を受信するスレーブモードに設定された他の印字装置に前記更新情報を送信するために、当該印字装置のモードを、前記更新情報を送信するマスターモードに設定可能なモード設定手段と、前記モード設定手段により前記印字装置のモードが前記マスターモードに設定されると、前記他の印字装置に対し、前記更新情報取得手段により取得した前記更新情報を無線により送信する無線送信手段とを備える。
【０００７】
この場合の印字装置では、マスターモードに設定することができ、マスターモードに設定された状態で、外部機器から更新情報を取得すると、スレーブモードに設定されている他の印字装置に更新情報を送信することができる。それにより、ユーザはマスターモードに設定された印字装置に更新情報を送るだけで、スレーブモードに設定された他の印字装置に対して更新情報を送ることができ、一台ずつ全ての印字装置に対して更新情報を送る手間が省ける。
【０００８】
本態様の印字装置は、前記モード設定手段は、前記印字装置のモードを、前記マスターモード及び前記スレーブモードを含むモードの中から択一的に設定可能であり、前記スレーブモードに設定された場合、前記マスターモードに設定された他の印字装置から前記更新情報を無線により受信する無線受信手段と、前記無線受信手段から前記更新情報を受信すると、前記更新情報に基づき前記設定データを更新するデータ更新手段とを備えるようにしても良い。この場合の印字装置では、スレーブモードにも設定することができる。スレーブモードに設定された状態では、他の印字装置から更新情報を取得して、設定データの更新を行うことができる。
【０００９】
本態様の印字装置において、前記モード設定手段は、前記印字装置のモードを前記マスターモードに設定する指示をユーザから受け付ける第一受付手段と、前記印字装置のモードを前記スレーブモードに設定する指示を前記ユーザから受け付ける第二受付手段とを備えるようにしても良い。この場合の印字装置では、ユーザは、印字装置のモードの切り替え指示を行うことができる。
【００１０】
本態様の印字装置は、前記モード設定手段により前記印字装置のモードがスレーブモードに設定され前記更新情報が受信可能となった場合、この事を報知する受信可能報知手段を備えるようにしても良い。この場合の印字装置では、更新情報が受信可能であることを知ることができる。
【００１１】
本態様の印字装置は、前記無線送信手段が放射する電波の強度を所定値以下に制御する電波強度制御手段を備えるようにしても良い。この場合の印字装置では、電波の強度を所定値以下にすることによって、設定データを更新したくない印字装置に対して不用意に設定データを更新してしまうことを未然に防げる。
【図面の簡単な説明】
【００１２】
【図１】本発明の実施の形態に係るモバイルプリンタ１５、２５、３５、及び４５の配置を示した図である。
【図２】モバイルプリンタ１５の斜視図である。
【図３】モバイルプリンタ１５の平面図である。
【図４】モバイルプリンタ１５の電気的構成を示すブロック図である。
【図５】更新情報を送信する際の各モバイルプリンタ１５、２５、３５、及び４５の配置を示した図である。
【図６】マスターモード処理のフローチャートである。
【図７】スレーブモード処理のフローチャートである。
【発明を実施するための形態】
【００１３】
以下、本発明のモバイルプリンタについて、図面を参照して説明する。なお、これらの図面は、本発明が採用しうる技術的特徴を説明するために用いられるものであり、記載されている装置、装置の構成、各種処理のフローチャートなどは、単なる説明例である。
【００１４】
はじめに、図１を参照して、本発明の実施の形態に係るモバイルプリンタの使用形態を説明する。オフィス１内には、作業用机１１、作業用机２１、作業用机３１、作業用机４１、及び共同机５０が設置されている。作業用机１１はユーザ１０に、作業用机２１はユーザ２０に、作業用机３１はユーザ３０に、及び作業用机４１はユーザ４０によってそれぞれ利用される。共同机５０は、ユーザが共同作業を行う際に利用される。
【００１５】
作業用机１１にはＰＣ１３とモバイルプリンタ１５とが、作業用机２１にはＰＣ２３とモバイルプリンタ２５とが、それぞれ配置される。また、作業用机３１にはＰＣ３３とモバイルプリンタ３５とが、作業用机４１にはＰＣ４３とモバイルプリンタ４５とが、それぞれ配置される。ＰＣ１３、２３、３３、４３、及びモバイルプリンタ１５、２５、３５、４５は、無線ＬＡＮで接続されており、アクセスポイント（図示しない）を介してインフラストラクチャモードによって印刷データ等の送受が可能となっている。ここで、インフラストラクチャモードとは、アクセスポイントを介して機器同士でデータ通信を行うことをいう。
【００１６】
ＰＣ１３、ＰＣ２３、ＰＣ３３、及びＰＣ４３は、文書作成等の作業を行うために利用され、文書作成後には文書データをモバイルプリンタに送信することによって印字可能となる。また、これらＰＣはインターネットにそれぞれ接続されており、モバイルプリンタの販売会社のホームページにアクセスすることによってモバイルプリンタの更新情報（アップデート情報）を取得することができる。
【００１７】
モバイルプリンタ１５、モバイルプリンタ２５、モバイルプリンタ３５、及びモバイルプリンタ４５は、持ち運びが可能となっており、ＰＣで作成された文書データを用紙等の被印刷媒体に印刷して出力する。また、各モバイルプリンタは、設定スイッチ１２１（図４参照）により他のモバイルプリンタにアドホックモード通信によって更新情報を送信するモードであるマスターモード、及びアドホックモード通信によって他のモバイルプリンタから更新情報を受信するモードであるスレーブモードの各モード設定が可能である。なお、アドホックモード通信とは、アクセスポイントを介せずに、機器同士でデータ通信を行うことをいう。
【００１８】
次に、図２と図３を参照してモバイルプリンタの外観構成について説明する。なお、モバイルプリンタ１５、モバイルプリンタ２５、モバイルプリンタ３５、及びモバイルプリンタ４５の外観構成は同じなので、モバイルプリンタ１５の外観構成についてのみ説明する。図２及び図３に示すように、モバイルプリンタ１５は、平面視、略矩形の形状を有し、長手方向の長さが約１６ｃｍ、短手方向の長さが約１０ｃｍと略Ａ６サイズの大きさで、厚みが約２ｃｍの直方体形状をしている。図２に示すように、モバイルプリンタ１５は、本体ケース１５０と本体ケース１５０を覆うように設けられたカバーケース１６０から構成される。本体ケース１５０の側面には、電源供給を受けるためのＡＣアダプタコネクタ１１２、外部機器とＵＳＢ規格に基づいた通信を行うためのＵＳＢコネクタ１０６、赤外線受光部１０９、外部機器と通信を行うための本体内蔵型のアンテナ１２３（図４参照）、電源のＯＮ／ＯＦＦを行う電源スイッチ１１１、及びマスターモード又はスレーブモードの設定を行う設定スイッチ１２１が設けられている。
【００１９】
また、本体ケース１５０は印刷機構部１５１を備える。印刷機構部１５１は、発熱素子によって被記録媒体に印刷を行うサーマルヘッド１０４（図４参照）、用紙等の被印刷媒体を収納する収納部１５２、及び印刷後に被印刷媒体をモバイルプリンタ１５から排出するための排紙部１５３等が設けられている。
【００２０】
さらに、図３に示すように、カバーケース１６０は、スレーブモードに設定され他のモバイルプリンタから更新情報の受信が可能な旨を点滅することによってユーザに報知するＬＥＤ１１６、各種情報表示する液晶パネル１１７、及び液晶パネル１１７に表示された各種情報等を選択するための入力ボタン１１８等を備える。
【００２１】
次に、図４を参照して、モバイルプリンタの電気的構成を説明する。なお、モバイルプリンタ１５、モバイルプリンタ２５、モバイルプリンタ３５、及びモバイルプリンタ４５の電気的構成は同じなので、モバイルプリンタ１５の電気的構成についてのみ説明する。
【００２２】
モバイルプリンタ１５には、印刷データの処理や動作の制御を行うＣＰＵ１００が設けられている。このＣＰＵ１００には、送りモータ駆動回路１０１及びサーマルヘッド制御回路１０２が設けられており、送りモータ駆動回路１０１にはステップモータ１０３が接続し、サーマルヘッド制御回路１０２にはサーマルヘッド１０４が接続している。これらの送りモータ駆動回路１０１，ステップモータ１０３，サーマルヘッド制御回路１０２，及びサーマルヘッド１０４は印刷機構部１５１（図２参照）に設けられており、ＣＰＵ１００からの制御に基づいて送りモータ駆動回路１０１がステップモータ１０３を駆動し、収納部１５２に装着された用紙パッケージ内に積層されているカット紙が搬送され、給紙ローラ，分離部及びガイド板により１枚に分離されて、プラテンローラ（共に、図示しない）へ搬送される。そして、ＣＰＵ１００の制御に基づいてサーマルヘッド制御回路１０２が、サーマルヘッド１０４を駆動し、カット紙に加熱印刷が行われる。
【００２３】
また、ＣＰＵ１００には外部機器とＵＳＢ規格に基づいた通信を行うためのインタフェイス回路であるＵＳＢＩ／Ｆ駆動回路１０５が接続され、この回路からＵＳＢコネクタ１０６に接続されている。また、ＣＰＵ１００は、アクセスポイントを介して無線通信を行うための通信回路であるインフラストラクチャモード通信部１０７に接続されている。また、ＣＰＵ１００は、アクセスポイントを介せずに他のモバイルプリンタと直接無線通信を行うための通信回路であるアドホックモード通信部１０８に接続されている。インフラストラクチャモード通信部１０７及びアドホックモード通信部１０８は、高周波制御部１１０に接続されている。また、高周波制御部１１０は、アンテナ１２３に接続されている。高周波制御部１１０は、ユーザの設定スイッチ１２１からの指示によりインフラストラクチャモード通信部１０７、又はアドホックモード通信部１０８のいずれかを選択する。また、高周波制御部１１０は、アンテナ１２３を介して信号の送受信を行うと共に、アンテナ１２３から放射する電波の強度を制御する。
【００２４】
さらに、ＣＰＵ１００は、電源のＯＮ／ＯＦＦを行う電源スイッチ１１１及びＡＣアダプタコネクタ１１２を接続した電源回路１１３と、ＣＰＵ１００のデータ処理時に一時的なデータの記憶を行うＳＲＡＭ１１４とに接続される。また、ＣＰＵ１００は、ＣＰＵ１００が実行するプログラムを記憶するＲＯＭ１１５と、赤外線によって外部機器と通信を行う赤外線受光部１０９と、ユーザにスレーブモードに設定され更新情報の受信が可能である旨を報知するＬＥＤ１１６に接続される。さらに、ＣＰＵ１００は、種々の情報を表示する液晶パネル１１７と、液晶パネル１１７に表示された情報を選択するための入力ボタン１１８とに接続される。さらに、ＣＰＵ１００は、収納部１５２に装着された用紙パッケージの種類を識別する紙カセット種類センサ１１９と、用紙残量を検出する紙残量センサ１２０と、設定スイッチ１２１に接続され、マスターモード又はスレーブモードのモード設定を行うモード設定制御部１２２に接続される。
【００２５】
次に、図５を参照して、モバイルプリンタの設定データを更新する際のモバイルプリンタの配置について説明する。以下では、モバイルプリンタ１５から他のモバイルプリンタに更新情報を送信するものとして説明する。はじめに、モバイルプリンタ１５はＰＣ１３を介して、モバイルプリンタの販売会社のホームページにアクセスすることによって設定データの更新情報を取得する。次に、モバイルプリンタ１５を共同机５０に移動させ、設定スイッチ１２１（図２参照）によってモバイルプリンタ１５をマスターモードに設定する。
【００２６】
次に、更新情報を受信して設定データの更新を希望するモバイルプリンタ３５及びモバイルプリンタ４５を設定スイッチ１２１によってスレーブモードに設定する。そして、図５に示すようにモバイルプリンタ１５のアンテナ１２３から放射される電波の到達可能範囲内に（本実施の形態では、一例として１ｍ以内）、モバイルプリンタ３５及びモバイルプリンタ４５を配置する。この後、モバイルプリンタ３５及びモバイルプリンタ４５は、モバイルプリンタ１５から更新情報を受信し、設定データの更新を行う。なお、モバイルプリンタ２５は、設定データの更新を希望しないプリンタであるので、モバイルプリンタ１５から放射される電波の到達可能範囲外（１ｍ以上）に配置されている。
【００２７】
次に、図６を参照して、モバイルプリンタがマスターモードに設定された際の処理であるマスターモード処理を説明する。なお、この動作はＣＰＵ１００がＲＯＭ１１５に記憶されているプログラムを実行することにより実現される。
【００２８】
はじめに、マスターモード処理では、ＣＰＵ１００は、ＰＣ１３から設定データの更新情報を取得したか否かを判断する（Ｓ１１）。なお、モバイルプリンタ１５が、設定データの更新情報を取得するには、まず、ユーザ１０がＰＣ１３からインターネットを介して、モバイルプリンタの販売会社のホームページにアクセスして更新情報を取得する。そして、ユーザ１０がＰＣ１３を操作して取得した更新情報をモバイルプリンタ１５に送信する。ＰＣ１３から更新情報を取得していない場合（Ｓ１１：ＮＯ）、Ｓ１１に戻り更新情報の取得を監視する。一方、ＰＣ１３から更新情報を取得した場合（Ｓ１１：ＹＥＳ）、設定スイッチ１２１によってマスターモードに設定されているか否かを判断する（Ｓ１３）。マスターモードに設定されていない場合（Ｓ１３：ＮＯ）、Ｓ１３に戻りマスターモードへの設定を監視する。一方、マスターモードに設定された場合（Ｓ１３：ＹＥＳ）、高周波制御部１１０を介してアンテナ１２３から放射する電波の強度を所定値以下に設定する（Ｓ１５）。具体的には、１ｍ以内に電波が届くように高周波制御部１１０の高周波増幅率を所定値に低下させる。高周波制御部１１０を介してインフラストラクチャモード通信部１０７からアドホックモード通信部１０８に切り替えることによって通信方式をアドホックモードに設定し（Ｓ１７）、他のモバイルプリンタに対してＩＰアドレスの送信要求を送信する（Ｓ１９）。
【００２９】
次に、他のモバイルプリンタから前記要求に対する応答があるか否かを判断し（Ｓ２１）、応答がある場合（Ｓ２１：ＹＥＳ）、応答があったモバイルプリンタからＩＰアドレスを取得し（Ｓ２３）、ＳＲＡＭ１１４に記憶する。次に、取得したＩＰアドレスをＳＲＡＭ１１４から読み出し、読み出したＩＰアドレスのモバイルプリンタに設定データの更新情報を送信する（Ｓ２５）。なお、更新情報を送信したモバイルプリンタのＩＰアドレスは、送信済みとして再度ＳＲＡＭ１１４に記憶される。次に、ＩＰアドレスを取得した全てのモバイルプリンタに更新情報を送信したか否かを判断する（Ｓ２７）。全てのモバイルプリンタに更新情報を送信していないと判断した場合（Ｓ２７：ＮＯ）、ステップＳ２５の戻り、更新情報を送信していないモバイルプリンタに更新情報を送信する。一方、全てのモバイルプリンタに更新情報を送信したと判断した場合、（Ｓ２７：ＹＥＳ）、まだＩＰアドレスを取得していないモバイルプリンタ３５、４５がある可能性があるのでステップＳ１９に戻り、ステップＳ１９〜ステップＳ２９の処理を繰り返す。
【００３０】
一方、ステップＳ２１で、他のモバイルプリンタから応答がない場合（Ｓ２１：ＮＯ）、自身がマスターモードに設定されているか否かを判断する（Ｓ２９）。マスターモードに設定されている場合（Ｓ２９：ＹＥＳ）、ユーザからマスターモード設定の解除がなされていないのであり、更新情報を送信していないモバイルプリンタが存在する可能性があるからステップＳ１９に戻る。一方、マスターモードに設定されていない場合（Ｓ２９：ＮＯ）、ユーザによって設定スイッチ１２１を介してマスターモードの設定が解除されたのであるから、ＳＲＡＭ１１４に記憶されているＩＰアドレスを消去し、高周波制御部１１０の高周波増幅率を上げて、電波強度を通常値に戻し（Ｓ３１）、ステップＳ１１に戻り、ＰＣ１３からの更新情報の取得を監視する。  
【００３１】
次に、図７を参照して、モバイルプリンタ３５及びモバイルプリンタ４５が自身の設定データの更新を行うスレーブモードに設定された際の処理であるスレーブモード処理を説明する。なお、この動作は、ＣＰＵ１００がＲＯＭ１１５に記憶されているプログラムを実行することにより実現される。はじめに、設定スイッチ１２１を介してスレーブモードに設定されているか否かを判断し（Ｓ４１）、スレーブモードに設定されていない場合（Ｓ４１：ＮＯ）、Ｓ４１に戻りスレーブモードへの設定を監視する。一方、スレーブモードに設定されている場合（Ｓ４１：ＹＥＳ）、高周波制御部１１０を介してインフラストラクチャモード通信部１０７からアドホックモード通信部１０８に切り替えることによって通信方式をアドホックモードに設定する（Ｓ４３）。
【００３２】
次に、モバイルプリンタ１５からの電波の受信が可能か否かを判断する（Ｓ４５）。モバイルプリンタ１５からの電波の受信が可能でない場合（Ｓ４５：ＮＯ）、モバイルプリンタは、モバイルプリンタ１５からの電波の受信可能な範囲内に配置されていない。その場合、Ｓ４５に戻って、モバイルプリンタが受信可能な範囲内に配置されモバイルプリンタ１５からの電波が受信可能になるまで待機する。一方、モバイルプリンタ１５からの電波の受信が可能である場合（Ｓ４５：ＹＥＳ）、ユーザによってモバイルプリンタ１５からの電波が受信可能な範囲に配置されたのであるから、その旨をユーザに報知するために、ＬＥＤ１１６を点滅させる（Ｓ４７）。例えば、図５に示すようにモバイルプリンタ３５及びモバイルプリンタ４５を、それぞれの元の位置から、モバイルプリンタ１５のアンテナ１２３から放射される電波の到達可能範囲内である１ｍ以内に移動させると、モバイルプリンタ１５からの電波を受信可能と判断され（Ｓ４５：ＹＥＳ）、ＬＥＤ１１６を点滅させる（Ｓ４７）。
【００３３】
次に、モバイルプリンタ１５からＩＰアドレスの送信要求を受信したか否かを判断し（Ｓ４９）、ＩＰアドレスの送信要求を受信していない場合（Ｓ４９：ＮＯ）、Ｓ４９に戻りＩＰアドレスの送信要求の受信を監視する。一方、ＩＰアドレスの送信要求を受信した場合（Ｓ４９：ＹＥＳ）、モバイルプリンタ１５にＩＰアドレスを送信（Ｓ５１）した後、モバイルプリンタ１５から更新情報の受信要求を受信したか否かを判断する（Ｓ５３）。更新情報の受信要求を受信していない場合（Ｓ５３：ＮＯ）、Ｓ５３に戻り受信要求の受信を監視する。一方、更新情報の受信要求を受信した場合（Ｓ５３：ＹＥＳ）、更新情報の受信を開始し（Ｓ５５）、更新情報の受信を完了したか否かを判断する（Ｓ５７）。受信が完了していない場合（Ｓ５７：ＮＯ）、Ｓ５７に戻り受信完了を監視する。一方、更新情報の受信を完了した場合（Ｓ５７：ＹＥＳ）、受信した更新情報に従って設定データを更新し（Ｓ５８）、設定データの更新が完了した旨を報知するためにＬＥＤ１１６を消灯し（Ｓ５９）、スレーブモードに設定されているか否かを判断する（Ｓ６１）。スレーブモードに設定されている場合（Ｓ６１：ＹＥＳ）、Ｓ６１に戻りスレーブモード設定の解除を監視する。一方、スレーブモードに設定されていない場合（Ｓ６１：ＮＯ）、スレーブモードの設定は解除されたのであるから、ステップＳ４１に戻る。
【００３４】
以上のように、本実施の形態に係る印字装置は、マスターモードに設定することができ、マスターモードに設定された状態で、外部機器から更新情報を取得すると、スレーブモードに設定されている他の印字装置に更新情報を送信することができる（図６のＳ２５）。これにより、複数の印字装置が有する設定データを少ない手間で更新可能となる。
【００３５】
また、印字装置は、さらにスレーブモードに設定することができるのでスレーブモードに設定された状態で、他の印字装置から更新情報を取得して、設定データの更新を行うことができる（図７のＳ５８）。さらに、電波の強度を所定値以下にすることによって（図６のＳ１５）、設定データを更新したくない印字装置に対して不用意に設定データを更新してしまうことを未然に防げる。
【００３６】
図６のステップＳ１１を実行するＣＰＵ１００は「更新情報取得手段」に相当し、図６のステップＳ１３及び図７のステップＳ４１を実行するＣＰＵ１００は「モード設定手段」に相当する。また、図６のステップＳ２５を実行するＣＰＵ１００は「無線送信手段」に相当し、図７のステップＳ５５を実行するＣＰＵ１００は「無線受信手段」に相当する。さらに、図６のステップＳ１３を実行するＣＰＵ１００は「第一受付手段」に相当し、図７のステップＳ４１を実行するＣＰＵ１００は「第二受付手段」に相当する。図７のステップＳ４７を実行するＣＰＵ１００は「受信可能報知手段」に相当する。さらに、図７のステップＳ５８を実行するＣＰＵ１００は「データ更新手段」に相当する。
【００３７】
なお、本実施の形態では、マスターモードに設定されたモバイルプリンタからの電波の到達可能範囲を１ｍ以内としたが、むろんこれには限定されず、到達可能範囲を、例えば２ｍ以内にする等のオフィスの広さに応じて適宜変更しても良い。また、本実施の形態では、２つのスレーブモードに設定されたモバイルプリンタの設定データを更新するものとしたが、これには限定されず３つ以上のスレーブモードに設定されたモバイルプリンタの設定データを更新するものとしても良い。
【００３８】
また、本実施の形態では、マスターモードに設定されたモバイルプリンタとスレーブモードに設定されたモバイルプリンタとの通信をアドホックモードにて行ったが、無線による通信であればこれに限定されず、例えばＢｌｕｅｔｏｏｔｈでもよい。
【符号の説明】
【００３９】
１３，２３，３３，４３      ＰＣ
１５、２５、３５、４５      モバイルプリンタ
１００                      ＣＰＵ
１０７                      インフラストラクチャモード通信部
１０８                      アドホックモード通信部
１１０                      高周波制御部
１１６                      ＬＥＤ
１２１                      設定スイッチ
１２２                      モード設定制御部
１２３                      アンテナ
【図１】
2012210779.tif 000003
【図２】
2012210779.tif 000004
【図３】
2012210779.tif 000005
【図４】
2012210779.tif 000006
【図５】
2012210779.tif 000007
【図６】
2012210779.tif 000008
【図７】
2012210779.tif 000009